(57)【要約】  この発明は、アーチ状の案内面（８ｂ）を有する照明枠（８）への照明板（９）の取付け作業を向上させることを目的とする。  この発明によるエレベータのかご用天井照明装置は、光が透過する照明板（９）と、照明板の直線状縁部に設けられた取付け手段（１０）と、照明板が載置されるアーチ状の案内面（８ｂ）を有する照明枠（８）と、アーチ状の案内面に載置され、ガイド部から挿入された照明板の取付け手段（１０）がガイド部に係合されて照明板の上方への移動を制限するとともに、照明枠に固定される板バネ（１２）を備えている。
2016075722.tif 000002
【特許請求の範囲】
【請求項１】
光が透過する照明板と、この照明板の直線状の縁部に設けられた取付け手段と、前記照明板が載置されるアーチ状の案内面を有する照明枠と、前記アーチ状の案内面に載置され、挿入された前記照明板の前記取付け手段が係合されて前記照明板の上方への移動を制限するとともに、前記照明枠に固定された照明板保持手段と、を備えたことを特徴とするエレベータのかご用天井照明装置。
【請求項２】
前記アーチ状の案内面に載置された前記照明板の前記取付け手段の一方を固定する前記照明板保持手段と、前記アーチ状の案内面に載置された前記照明板の前記取付け手段の他方に掛止されて前記照明板の前記直線状縁部を外側に付勢するとともに、前記照明板の上方への移動を制限する照明板固定装置と、前記照明板固定装置を前記照明枠に固定する固定手段と、を備えたことを特徴とする請求項１に記載のエレベータのかご用天井照明装置。
【請求項３】
前記取付け手段は、前記照明板の上面に前記直線状縁部に沿って設けられた補強材からなる、ことを特徴とする請求項１あるいは請求項２のいずれか１項に記載のエレベータのかご用天井照明装置。
【請求項４】
前記照明板保持手段は、板バネを曲折してV字型に形成されたガイド部を有し、このガイド部は、片方側から挿入された前記取付け手段を他方側が係合して前記照明板の上方への移動を制限するとともに、前記V字型の頂点部が前記照明板の平面部を押圧する、ことを特徴とする請求項１あるいは請求項２のいずれか１項に記載のエレベータのかご用天井照明装置。
【請求項５】
前記照明板保持手段は、弾性ゴムの突出部が変形して挿入された前記照明板の前記取付け手段を前記弾性材の前記突出部が係合して前記照明板の上方への移動を制限する、ことを特徴とする請求項１あるいは請求項２のいずれか１項に記載のエレベータのかご用天井照明装置。
【請求項６】
前記照明板保持手段は、前記補強材に設けられた弾性ゴムが前記照明枠に設けられた照明板保持部に係合されて照明板の上方への移動を制限する、ことを特徴とする請求項１あるいは請求項２のいずれか１項に記載のエレベータのかご用天井照明装置。
【発明の詳細な説明】
【技術分野】
【０００１】この発明は、エレベータのかご室の照明装置に関する。
【背景技術】
【０００２】エレベータのかご室の天井照明装置には、かご室内の意匠性向上のために、上方に突出したアーチ状を有する光を透過する照明板が備えられたものがある。この照明板はアーチ状の枠体の上に載置されており、照明板の両端の縁部に設けられた補強材を掛止する板バネをネジにより枠体に締結して固定されている。 (例えば特許文献１)。
【先行技術文献】
【特許文献】
【０００３】
【特許文献１】特許第４６２７４５３号公報  (第２図)
【発明の概要】
【発明が解決しようとする課題】
【０００４】  前記照明板は両端部の補強材が板バネで掛止され、この板バネをネジで枠体に固定しているが、ネジの数が多くネジ締め作業が煩雑である。また、ネジの数が多いため締結忘れのおそれがある。【０００５】  この発明は上記課題を解決するためになされたもので、照明板の着脱作業の作業性を改善することを目的とする。
【課題を解決するための手段】
【０００６】  この発明に係るエレベータのかご用天井照明装置は、光が透過する照明板と、この照明板の直線状縁部に設けられた取付け手段と、前記照明板が載置されるアーチ状の案内面を有する照明枠と、前記アーチ状の案内面に載置され、前記照明板の前記取付け手段が挿入されて前記取付け手段に係合して前記照明板の上方への移動を制限するとともに、前記照明枠に固定される照明板保持手段と、を備えたことを特徴とする。
【発明の効果】
【０００７】  この発明によれば、照明板は、照明枠のアーチ状部分に装着する際に、照明板保持手段に挿入されて固定される。これにより、照明板は照明板保持手段に挿入するだけで照明枠に固定されるので、作業時間を短くすることができる。
【図面の簡単な説明】
【０００８】
【図１】この発明の実施の形態１のエレベータのかご室天井照明装置を示す図である。
【図２】図１のＡ−Ａ断面図である。
【図３】この発明の実施の形態１における照明板の縁部の突出部を表す図である。
【図４】この発明の実施の形態１における板バネを示す図である。
【図５】この発明の実施の形態２のエレベータのかご室天井照明装置を示す図である。
【図６】図５のＢ−Ｂ断面図である。
【図７】この発明の実施の形態２における板バネを示す図である。
【図８】この発明の実施の形態３における図２相当図である。
【図９】この発明の実施の形態４における図２相当図である。
【発明を実施するための形態】
【０００９】実施の形態１  この発明の実施の形態１を図１から図４により説明する。なお、図中、同一符号は同一部品を示し説明を省略する。  図１に示すエレベータ昇降路内を昇降するかごのかご室１の天井部には、かご室天井照明装置２が設けられている。かご室天井照明装置２には、かご室１の天井面に固定された照明体（図示しない）の周囲を覆うとともに、下方に照明体からの光をかご室１内に通すための開口部３ａが設けられた枠体３が設けられている。そして、枠体３の開口部３ａを覆って照明枠５が設けられ、この照明枠５の上面に光が透過する照明板４が載置されている。
【００１０】  また、照明枠５は、開口部３ａの出入口側から奥側に跨るとともに所定の間隔をもって平行に設けられた第一照明枠６を有し、この第一照明枠６の間に上方に凸状を呈するアーチ状の案内面（以下、案内面８ｂ）を形成するとともに所定間隔毎に設けられた第三照明枠８を有している。なお、開口部３ａの一側縁部と第一照明枠６との間の領域は、略長方形状を呈する照明板４あるいは塗装等が施された光が透過しない意匠板等により閉塞されている。そして、第一照明枠６と第三照明枠８とでかこまれた開口部３ａの中央に位置する領域は略長方形状を呈する照明板９が第三照明枠８の案内面８ｂに沿って湾曲して載置されている。
【００１１】  図２に示す第一照明枠６は、照明板９の縁部を支持する支持部６ａがその幅方向に渡って斜設されている。この支持部６ａには、支持部６ａの上面に支持部６ａの幅方向に渡って形成された一側に傾斜する案内面６ｂと、この案内面６ｂから所定距離上方に突出するように案内面６ｂの幅方向に渡って設けられた略四角柱状を呈する固定部６ｃとが備えられている。また、固定部６ｃには、ボルト１１の頭部が嵌挿される溝６ｄが幅方向に貫通して形成されている。ボルト１１は、そのネジ部が固定部６ｃの上面から上方に突出して固定部６ｃの幅方向に渡って所定間隔毎に配置されている。
【００１２】  図３に示す照明板９は、光を透過する板材である。そして、照明板９の直線状の縁部に、照明板９の上面から突出するように略四角柱状を呈する一対の補強材１０が接着材にて固定されている。なお、取付け手段は補強材１０により構成される。また、照明板９は、第三照明枠８の案内面８ｂに沿って湾曲して形成されていてもよい。
【００１３】  第一照明枠６に固定されている板バネ１２は、図４に示すように、一端部が略Ｖ字状を呈するように曲成され、他端部にボルト１１のネジ部が挿通する貫通孔１２aが形成されている。板バネ１２のガイド部である一端部は、片方側である挿入部１２ｂ、頂点部１２ｄ、他方側である保持部１２ｃのように形成されている。照明板９は、補強材１０を有する端部が図２に示す矢印C方向に板バネ１２の挿入部１２ｂから挿入される。この時、照明板９は、案内面６ｂと案内面８ｂに載置される。そして、板バネ１２が、保持部１２ｃに照明板９の補強材１０を係合して、照明板９の上方への移動を制限する。さらに、板バネ１２の頂点部１２ｄが照明板９の平面部を押圧して、照明板９を保持する。この板バネ１２は、固定部６ｃから突出するボルト１１が貫通孔１２ａに遊貫して、蝶ナット１３により固定部６ｃに固定されている。なお、照明板９の上方への移動を制限する照明板保持手段は板バネ１２により構成されている。
【００１４】  上記実施の形態１によれば以下の効果を得ることができる。  光が透過する照明板９の両端部の直線状の縁部に補強材１０が設けられ、照明板９が載置される案内面８ｂを有する照明枠５を有し、案内面８ｂに載置された照明板９の補強材１０が板バネ１２に挿入されて照明板９を照明枠５に固定されるので、ネジを用いて照明板９を固定する作業を省くことができ作業時間の短縮を計ることができる。
【００１５】実施の形態２  この発明の実施の形態２を図５から図７により説明する。なお、図中、同一符号は同一部品を示し説明を省略する。
【００１６】  図５に示すように、照明枠５は、開口部３ａの出入口側から奥側に跨るとともに所定の間隔をもって平行に設けられた第一照明枠６と第二照明枠７を有し、この第一照明枠６と第二照明枠７の間に上方に凸状を呈する案内面８ｂを形成するとともに所定間隔毎に設けられた第三照明枠８を有している。なお、開口部３ａの一側縁部と第一照明枠６との間の領域、並びに、開口部３ａの他側縁部と第二照明枠７との間の領域は、略長方形状を呈する照明板４あるいは塗装等が施された光が透過しない意匠板等により閉塞されている。そして、第一照明枠６と第二照明枠７および第三照明枠８とでかこまれた開口部３ａの中央に位置する領域は、略長方形状を呈する照明板９が第三照明枠８の案内面８ｂに沿って湾曲して載置されている。
【００１７】  図６に示す第二照明枠７は、照明板９の縁部を支持する支持部７ａがその幅方向に渡って斜設されている。この支持部７ａには、支持部７ａの上面に支持部７ａの幅方向に渡って形成された他側に傾斜する案内面７ｂと、この案内面７ｂから所定距離上方に突出するように案内面７ｂの幅方向に渡って設けられた略四角柱状を呈する固定部７ｃとが備えられている。また、ボルト１１の頭部が嵌挿される溝７ｄが幅方向に貫通して形成されている。ボルト１１はそのネジ部が固定部７ｃの上面から上方に突出して固定部７ｃの幅方向に渡って所定間隔毎に配置されている。
【００１８】また、第二照明枠７に配置されている板バネ１４は、図７に示すように、断面が略Ｃ字状を呈するように両端部が同じ側に曲成され、中央部に貫通孔１４aが形成されている。この板バネ１４は、固定部７ｃから突出するボルト１１が貫通孔１４ａに遊貫するように補強材１０及び固定部７ｃの上方から設けられ、下方に向かって曲成された一端部が補強材１０の反固定部７ｃ側側面に、また、同じく下方に向かって曲成された他端部が固定部７ｃの補強材１０側側面に掛止されるように配置される。そして、板バネ１４は、ボルト１１に螺嵌された蝶ナット１３により、固定部７ｃに上方から強固に固定される。このように、板バネ１４が補強材１０及び固定部７ｃを上方から掴むように設けられているため、照明板９の直線状縁部に設けられた補強材１０は、この板バネ１４の付勢力により外側、即ち、固定部７ｃ側に常時付勢されている。なお、照明板９の上方への移動を制限する照明板固定装置は板バネ１４により構成されている。また、板バネ１４を第二照明枠７の固定部７ｃに固定する固定手段はボルト１１及び蝶ナット１３により構成されている。
【００１９】  上記より、照明板９は、一方が板バネ１２に挿入されて補強材１０が保持され、他方が照明板９自体を撓ませながら案内面８ｂに載置されて補強材１０が板バネ１４に掛止される。ここで、照明板９の固定手順はどちらでもよく、照明板９の一方が案内面８ｂに載置されて補強材１０が板バネ１４に掛止され、続いて、他方が板バネ１２に挿入されて補強材１０が保持されてもよい。
【００２０】  上記実施の形態２によれば以下の効果を得ることができる。  光が透過する照明板９の両端部の直線状縁部に補強材１０が設けられ、照明板９が載置される案内面８ｂを有する照明枠５を有している。そして、照明板９は、案内面８ｂに載置され、一方の補強材１０が板バネ１２に挿入され、他方が照明板９の上方への移動を制限する板バネ１４により固定されているので、締結するネジの数が少なくなり、ネジ（蝶ナット１３）の締め忘れを防ぎやすい。
【００２１】実施の形態３  この発明の実施の形態３について、図８を用いて説明する。
【００２２】  図８に示す第四照明枠２０は、照明板９の縁部を支持する支持部２０ａがその幅方向に渡って斜設されている。この支持部２０ａには、支持部２０ａの上面に支持部２０ａの幅方向に渡って形成された一側に傾斜する案内面２０ｂと、この案内面２０ｂから所定距離上方に突出するように案内面２０ｂの幅方向に渡って設けられた略四角柱状を呈する固定部２０ｃとが備えられている。また、固定部２０ｃの一側には、弾性ゴム２１が嵌って固定される溝２０ｄが設けられている。
【００２３】  弾性ゴム２１は、溝２０ｄに嵌って固定される固定部２１ａと、挿入された照明板９の補強材１０を係合する係合部２１ｂを有している。なお、実施の形態３においては、照明板９の上方への移動を制限する照明板保持手段は弾性ゴム２１により構成されている。
【００２４】  上記実施の形態３により、以下の効果を得ることができる。弾性ゴム２１の突出部が変形して挿入された照明板９の補強材１０を、弾性ゴム２１の突出部が係合して照明板９の上方への移動を制限するので、照明板９を照明枠に載置した後に固定しなくともよい。これにより、照明板９の照明枠への固定作業時間が短縮される。
【００２５】実施の形態４  この発明の実施の形態４について、図９を用いて説明する。
【００２６】  図９に示す第五照明枠２２は、照明板２３の縁部を支持する支持部２２ａがその幅方向に渡って斜設されている。この支持部２２ａには、支持部２２ａの上面に支持部２２ａの幅方向に渡って形成された一側に傾斜する案内面２２ｂと、この案内面２２ｂから所定距離上方に突出するように案内面２２ｂの幅方向に渡って設けられた略四角柱状を呈する固定部２２ｃとが備えられている。また、固定部２２ｃの一側には照明板２３の嵌挿される溝２２ｄが幅方向に貫通して形成されている。さらに、溝２２ｄの固定部２２ｃの外面に開放された上部が突出しており、溝の内側との間に段差が形成されている。
【００２７】  照明板２３は、上面から突出するように略四角柱状を呈する一対の補強材２４を縁部から少し間隔を空けて設け、この空間に照明板２３の上面から突出するように略四角柱状を呈する弾性ゴム２５が接着材にて固定されている。そして、弾性ゴム２５は突出している先端部が補強材２４より少し高く設けられている。この弾性ゴム２５の先端部が、照明板２３が挿入された際に溝２２ｄの突出部に係合されて、照明板２３の上方への移動を制限する。なお、実施の形態４においては、照明板２３の上方への移動を制限する照明板保持部は溝２２ｄにより構成されている。
【００２８】  上記実施の形態４により、以下の効果を得ることができる。照明板２３の補強材２４に設けられた弾性ゴム２５が第一照明枠２２の溝２２ｄに嵌挿される。これにより、弾性ゴム２５の突出部が溝２２ｄの突出部に係合されて照明板２３の上方への移動を制限するので、照明板２３を照明枠に載置したのち、ネジ等を用いて固定しなくともよい。
【符号の説明】
【００２９】１  かご室、  ２  かご室天井照明装置、  ３  枠体、  ３ａ  開口部、  ４，９，２３  照明板、  ５  照明枠、  ６  第一照明枠、  ６ａ、７ａ、２０ａ、２２ａ  支持部、  ６ｂ、７ｂ、８ｂ、２０ｂ、２２ｂ  案内面、  ６ｃ、７ｃ、２０ｃ、２２ｃ  固定部  、  ６ｄ、７ｄ  溝、  ７  第二照明枠、  ８  第三照明枠、  １０、２４  補強材、  １１  ボルト、  １２、１４  板バネ、  １２ａ、１４ａ  貫通孔、  １２ｂ  挿入部、  １２ｃ  保持部、  １２ｄ  頂点部、  １３  蝶ナット、  ２０  第四照明枠、  ２０ｄ  溝、  ２１、２５  弾性ゴム、  ２１ａ  固定部、  ２１ｂ  係合部、  ２２  第五照明枠、  ２２ｄ  溝。
【図１】
2016075722.tif 000003
【図２】
2016075722.tif 000004
【図３】
2016075722.tif 000005
【図４】
2016075722.tif 000006
【図５】
2016075722.tif 000007
【図６】
2016075722.tif 000008
【図７】
2016075722.tif 000009
【図８】
2016075722.tif 000010
【図９】
2016075722.tif 000011
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
光が透過する照明板と、この照明板の直線状の縁部に設けられた取付け手段と、前記照明板が載置されるアーチ状の案内面を有する照明枠と、前記照明枠に固定され、前記照明板が挿入されたときに、前記取付け手段が係合されて前記照明板の上方への移動を制限する照明板保持手段と、
を備えたことを特徴とするエレベータのかご用天井照明装置。
【請求項２】
前記アーチ状の案内面に載置された前記照明板の前記取付け手段の一方を固定する前記照明板保持手段と、前記アーチ状の案内面に載置された前記照明板の前記取付け手段の他方に掛止されて前記照明板の前記直線状縁部を外側に付勢するとともに、前記照明板の上方への移動を制限する照明板固定装置と、前記照明板固定装置を前記照明枠に固定する固定手段と、
を備えたことを特徴とする請求項１に記載のエレベータのかご用天井照明装置。
【請求項３】
前記取付け手段は、前記照明板の上面に前記直線状縁部に沿って設けられた補強材からなる、
ことを特徴とする請求項１あるいは請求項２のいずれか１項に記載のエレベータのかご用天井照明装置。
【請求項４】
前記照明板保持手段は、板バネを曲折してV字型に形成されたガイド部を有し、
このガイド部は、片方側から挿入された前記取付け手段を他方側が係合して前記照明板の上方への移動を制限するとともに、前記V字型の頂点部が前記照明板の平面部を押圧する、
ことを特徴とする請求項１あるいは請求項２のいずれか１項に記載のエレベータのかご用天井照明装置。
【請求項５】
前記照明板保持手段は、弾性ゴムの突出部が変形して挿入された前記照明板の前記取付け手段を前記弾性材の前記突出部が係合して前記照明板の上方への移動を制限する、
ことを特徴とする請求項１あるいは請求項２のいずれか１項に記載のエレベータのかご用天井照明装置。
【請求項６】
前記照明板保持手段は、前記補強材に設けられた弾性ゴムが前記照明枠に設けられた照明板保持部に係合されて照明板の上方への移動を制限する、
ことを特徴とする請求項１あるいは請求項２のいずれか１項に記載のエレベータのかご用天井照明装置。
【手続補正２】
【補正対象書類名】明細書
【補正対象項目名】０００６
【補正方法】変更
【補正の内容】
【０００６】
この発明に係るエレベータのかご用天井照明装置は、光が透過する照明板と、この照明板の直線状の縁部に設けられた取付け手段と、前記照明板が載置されるアーチ状の案内面を有する照明枠と、前記照明枠に固定され、前記照明板が挿入されたときに、前記取付け手段が係合されて前記照明板の上方への移動を制限する照明板保持手段と、を備えたことを特徴とする。
【国際調査報告】
2016075722.tif 000012
2016075722.tif 000013
2016075722.tif 000014
2016075722.tif 000015